(57)【要約】【課題】  表示器の消耗の度合いを適正、且つ簡単に管理することができ、表示器を効率的に利用できるネットワーク管理システムを提供する。【解決手段】  情報処理装置２は、本体の起動時に接続されている表示器３を識別する表示器識別コード、この表示器３の使用開始日時等を含む表示器情報を本体識別コードとともに管理装置１に送信するとともに、本体の停止時に表示器３の稼働時間を本体識別コードとともに管理装置１に送信する。管理装置１は、情報処理装置２から送られてくる情報に基づいて、情報処理装置２毎に接続されている表示器３の使用開始日時、積算稼働時間を管理する。【選択図】  図１
2005156659.tif 000002
【特許請求の範囲】
【請求項１】
管理装置と、複数の情報処理装置と、がネットワークに接続され、管理装置が各情報処理装置に接続されている表示器の状態を管理するネットワーク管理システムであって、
上記管理装置は、ネットワークに接続されている任意の情報処理装置に対して、接続されている表示器の表示モードを指示する表示モード指示手段を備え、
上記情報処理装置は、上記管理装置から接続されている表示器に対する表示モードが指示されたときに、この指示に基づいて表示器の表示モードを制御する表示モード制御手段と、接続されている表示器に設けられている記憶部の所定の記憶領域にこの表示器の使用開始日時が書き込まれているかどうかを判断し、書き込まれていなければ、この表示器の使用開始日時として現在の日時をこの所定の記憶領域に書き込む使用開始日時書込手段と、本体を識別する本体識別コード、本体に接続されている表示器の上記記憶部から読み取った表示器を識別する表示器識別コードおよび上記使用開始日時を含む表示器情報を上記管理装置に通知する表示器情報通知手段と、を備え、
さらに、上記管理装置は、各情報処理装置から送られてきた表示器情報に基づいて、情報処理装置毎に接続されている表示器を管理する表示器管理手段を備えているネットワーク管理システム。
【請求項２】
上記情報処理装置は、本体に接続されている表示器の稼働時間を計測する稼働時間計測手段を備えるとともに、上記表示器情報通知手段が、この稼働時間計測手段により計測した稼働時間を通知する稼働時間通知手段を備えた請求項１に記載のネットワーク管理システム。
【請求項３】
上記管理装置は、ネットワークに接続されている複数の情報処理装置をグループ単位で管理するグループ管理手段を備えるとともに、上記表示器モード指示手段には、任意のグループに属する全ての情報処理装置に対して接続されている表示器の表示モードを一括指示する機能が設けられている請求項１または２に記載のネットワーク管理システム。
【発明の詳細な説明】
【技術分野】
【０００１】
この発明は、ネットワークに接続された複数の情報処理装置に接続されている表示器の消耗状態等を、このネットワークに接続されている管理装置で管理するネットワーク管理システムに関する。
【背景技術】
【０００２】
従来、パーソナルコンピュータ等の情報処理装置に接続して使用する一般的な液晶ディスプレイ等の表示器は、輝度、コントラスト等の画質の設定にかかる制御を表示器本体、またはこの表示器を接続した情報処理装置で行う構成である。また、画質の設定や、電源のオン／オフ等が遠隔制御できる表示器（ネットワークディスプレイ）が特許文献１、２等で提案されている。
【特許文献１】特開２０００−２３１３６９号公報
【特許文献２】特開２０００−２６７５７７号公報
【発明の開示】
【発明が解決しようとする課題】
【０００３】
しかしながら、情報処理装置に接続されている表示器を、その消耗状態に応じて買い換えて交換するには、表示器毎に使用開始時期等を台帳で管理しなければならず、この管理に手間がかかるという問題があった。特に、複数の情報処理装置を接続したネットワークシステムでは、表示器を個々に管理しなければならず、非常に手間がかかるという問題があった。
【０００４】
また、表示器の消耗の度合いは、その表示器の使用開始時期だけでなく、実際に使用された稼働時間によるところが多く、従来の台帳による表示器の管理では、個々の表示装置の稼働時間を管理することができなかった。このため、買い換えによる表示器の交換や、１日あたりの稼働時間が長い情報処理装置に接続された表示器と、１日あたりの稼働時間が短い情報処理装置に接続された表示器との交換等が管理者の主観による表示器の消耗の度合いの評価によって行っており、表示器が効率的に利用されているとは限らない。言い換えれば、表示器を効率的に利用するための指標がなく、表示器を効率的に利用することが困難であった。
【０００５】
さらに、複数の情報処理装置を接続したネットワークシステムを学校での授業等に利用する場合、例えばネットワークに接続した情報処理装置を生徒毎に割り当てて授業を行う場合、生徒が表示器の設定を変更しても、そのことが分からず、これ以降の授業において表示器が変更された設定で使用されるという問題があった。
【０００６】
なお、授業の終了後に、先生等が表示器毎に生徒が表示器の設定を変更していないかどうかを確認し、設定が変更されていれば元に戻すことで、これ以降の授業において表示器が変更された設定で使用されるのを防止できるが、このようなことを行うには多大な手間がかかり、現実的ではない。また、上記特許文献１、２等で提案されている遠隔制御できる表示器を利用しても、同様にネットワークに接続されている個々の表示装置の設定を確認し、変更されている場合にその設定を元に戻すことにかわりはない。
【０００７】
この発明の目的は、表示器の消耗の度合いを適正、且つ簡単に管理することができ、表示器を効率的に利用できるネットワーク管理システムを提供することにある。
【０００８】
また、この発明は、ネットワークに接続している複数の情報処理装置に接続されている表示器に対する設定が簡単に行えるネットワーク管理システムを提供することを目的とする。
【課題を解決するための手段】
【０００９】
この発明のネットワーク管理システムは、上記課題を解決するために以下の構成を備えている。
【００１０】
（１）管理装置と、複数の情報処理装置と、がネットワークに接続され、管理装置が各情報処理装置に接続されている表示器の状態を管理するネットワーク管理システムであって、
上記管理装置は、ネットワークに接続されている任意の情報処理装置に対して、接続されている表示器の表示モードを指示する表示モード指示手段を備え、
上記情報処理装置は、上記管理装置から接続されている表示器に対する表示モードが指示されたときに、この指示に基づいて表示器の表示モードを制御する表示モード制御手段と、接続されている表示器に設けられている記憶部の所定の記憶領域にこの表示器の使用開始日時が書き込まれているかどうかを判断し、書き込まれていなければ、この表示器の使用開始日時として現在の日時をこの所定の記憶領域に書き込む使用開始日時書込手段と、本体を識別する本体識別コード、本体に接続されている表示器の上記記憶部から読み取った表示器を識別する表示器識別コードおよび上記使用開始日時を含む表示器情報を上記管理装置に通知する表示器情報通知手段と、を備え、
さらに、上記管理装置は、各情報処理装置から送られてきた表示器情報に基づいて、情報処理装置毎に接続されている表示器を管理する表示器管理手段を備えている。
【００１１】
この構成では、管理装置の表示モード指示手段がネットワークに接続されている任意の情報処理装置に対して、表示器の表示モードを指示し、この指示を受けた情報処理装置がこの指示に基づいて表示器の表示モードを制御する。ここで言う表示モードの指示とは、輝度、コントラスト等の画質の設定にかかる指示だけでなく、電源のオン／オフ、省電力モードへの移行、解除等、表示器に対する種々の指示を含んでいる。
【００１２】
また、情報処理装置の使用開始日時書込手段が、接続されている表示器に設けられた記憶部、例えばフラッシュメモリ、の所定の記憶領域に、この表示器の使用開始日時を示すデータが書き込まれているかどうかを判断し、書き込まれていなければ、現在の日時をこの所定の記憶領域に書き込む。これにより、表示器に設けられている記憶部に、この表示器の使用開始日時を記憶させることができるとともに、別の情報処理装置に接続して利用しても表示器本体が記憶している使用開始日時が書き換えられることはない。
【００１３】
また、情報処理装置の表示器情報通知手段が適当なタイミングで、例えば起動時や午前１０時等予め決められた時間に、管理装置に対して情報処理装置本体を識別する識別コード、接続されている表示器を識別する識別コード、およびこの表示器の使用開始日時を含む表示器情報を通知する。管理装置の表示器管理手段が、この通知された表示器情報に基づいて表示器を管理する。したがって、管理装置の表示器管理手段において、ネットワークに接続されている情報処理装置毎に、接続されている表示器、その表示器の使用開始日時を手間をかけることなく適正、且つ簡単に管理でき、消耗の度合等に応じて表示器の効率的な利用が図れる。
【００１４】
（２）上記情報処理装置は、本体に接続されている表示器の稼働時間を計測する稼働時間計測手段を備えるとともに、上記表示器情報通知手段が、この稼働時間計測手段により計測した稼働時間を通知する稼働時間通知手段を備えている。
【００１５】
この構成では、ネットワークに接続されている情報処理装置から、表示器の稼働時間が通知されるので、表示器の消耗の度合いを一層適正に管理できる。したがって、消耗の度合等に応じた表示器の効率的な利用が一層適正に行える。
【００１６】
（３）上記管理装置は、ネットワークに接続されている複数の情報処理装置をグループ単位で管理するグループ管理手段を備えるとともに、上記表示器モード指示手段には、任意のグループに属する全ての情報処理装置に対して接続されている表示器の表示モードを一括指示する機能が設けられている。
【００１７】
この構成では、ネットワークに接続されている情報処理装置をグループ単位で管理し、任意のグループに属する情報処理装置に対して、表示器の表示モードを一括して指示できるので、ネットワークに接続されている複数の情報処理装置に接続されている表示器の表示モードの設定変更が簡単に行える。
【発明の効果】
【００１８】
以上のように、この発明によれば、ネットワークに接続されている情報処理装置毎に、接続されている表示器、その表示器の使用開始日時を手間をかけることなく適正、且つ簡単に管理でき、消耗の度合等に応じて表示器の効率的な利用が図れる。
【００１９】
また、表示器の稼働時間を考慮して消耗の度合を判断することができ、表示器の一層効率的な利用が図れる。
【００２０】
さらに、任意のグループに属する情報処理装置に対して、表示器の表示モードの指示が一括して行えるので、ネットワークに接続されている複数の情報処理装置に接続されている表示器の設定変更が簡単に行える。
【発明を実施するための最良の形態】
【００２１】
以下、この発明の実施形態であるネットワーク管理システムについて説明する。
【００２２】
図１は、この発明の実施形態であるネットワーク管理システムを示す図である。図１において、１がこの発明で言う管理装置であり、２が情報処理装置である。管理装置１、および情報処理装置２は、パーソナルコンピュータ等で構成され、液晶ディスプレイ等の表示器３が接続されており、後述するように接続されている表示器３に対して輝度、コントラスト、色合い等の画質の設定や、電源のオン／オフの切り替え、省電力モードへの移行／解除の切り替え等、表示モードを制御するビデオカードを内蔵している。ここで言う表示モードは、輝度、コントラスト、色合い等の画質の設定だけでなく、上述のように電源のオン／オフ、省電力モードへの移行、解除等を含んでいる。また、図１に示す４が管理装置１、および情報処理装置２を接続したＬＡＮ等のネットワークである。
【００２３】
図２（Ａ）は管理装置の主要部の構成を示すブロック図であり、図２（Ｂ）は情報処理装置の主要部の構成を示すブロック図である。管理装置１は、本体の動作を制御する制御部１０と、ネットワーク４に接続されている任意の情報処理装置２と通信する通信部１１、本体に接続されている表示器３を制御するビデオカード１２、情報処理装置２毎に接続されている表示器３を管理する表示器情報記憶部１３と、を備えている。また、情報処理装置１は、本体の動作を制御する制御部２０と、ネットワーク４に接続されている管理装置１や他の情報処理装置２と通信する通信部２１、本体に接続されている表示器３を制御するビデオカード２２と、を備えている。
【００２４】
なお、図示していないが、管理装置１、および情報処理装置２には、キーボードやマウス等の入力デバイスが接続される入力部等、一般的なパーソナルコンピュータに設けられている構成も備えている。
【００２５】
また、一般的な表示器３には、ＥＤＩＤ（Extended Display Identification Data）を記憶するためのメモリ、例えばフラッシュメモリ、が内蔵されている。ＥＤＩＤは、表示器３の型式を示すプロダクトコード、表示器３本体を識別する表示器識別コード、表示器３の画面サイズを示すデータ等、表示器３にかかる情報であり、メモリには若干の空き容量が存在する。管理装置１、および情報処理装置２は、本体に接続されている表示器３が内蔵しているメモリに対して、データの読み出し、および書き込みが行える。この実施形態では、後述するようにこのメモリの空き容量を利用し、ここに表示器３の使用開始日時を書き込む。
【００２６】
表示器情報記憶部１３は、図３に示すように、情報処理装置２毎に、情報処理装置２を識別する本体識別コードに、この情報処理装置２に接続されている表示器３を識別する表示器識別コード、この表示器３の使用開始日時、これまでの積算稼働時間、情報処理装置２が属するグループ（所属グループ）等を関連づけて記憶している。また、管理装置１に接続されている表示器３についても同様の情報を記憶している。図３において、本体識別コードが１２３４５である情報処理装置２について、接続されている表示器３の表示器識別コードを２つ関連づけて記憶しているが、この情報処理装置２に表示器３が２つ接続されていることを意味しているのではなく、過去に表示器識別コードがＡＢＣＤである表示器３が接続されていて、この表示器３に換えて表示器識別コードがＢＢｄｊである表示器３が現在接続されていることを意味している。
【００２７】
以下、この実施形態のネットワーク管理システムにおける管理装置１、および情報処理装置２の動作について説明する。
【００２８】
図４は、情報処理装置の起動時の動作を示すフローチャートである。情報処理装置１は、本体に対して行われた電源オンの操作による起動処理が完了すると（ｓ１）、本体に接続されている表示器３が内蔵しているメモリからＥＤＩＤを読み出す（ｓ２）。このＥＤＩＤの読み出しは、ビデオカード２２を介して行う。そして、表示器３のメモリから読み出したＥＤＩＤに含まれている表示器３を識別する表示器識別コードが、本体に記憶している表示器識別コードと一致しているかどうかを判定する（ｓ３）。
【００２９】
なお、情報処理装置２は、前回の起動時に接続されていた表示器３の表示器識別コード、およびこの表示器３の使用開始日時を対応づけて記憶している。
【００３０】
情報処理装置２は、ｓ３で一致していないと判定すると、前回の起動時に接続されていた表示器３が外されて別の表示器３が接続されたと判断し、本体に記憶している表示器識別コードを、今回読み出したＥＤＩＤに含まれている表示器識別コードに更新する（ｓ４）。情報処理装置１は、ｓ４にかかる処理を完了すると、今回読み出したＥＤＩＤに表示器３の使用開始日時を示すデータが含まれているかどうかを判定する（ｓ５）。ｓ５で使用開始日時を示すデータが含まれていないと判定すると、本体に接続されている表示器３がこれまで使用されていなかった表示器３であると判断し、現在の日時を使用開始日時として表示器３のメモリに書き込む（ｓ６）。このｓ６にかかる処理もビデオカード２２を介して行う。情報処理装置２は、ｓ６で表示器３のメモリに使用開始日時を書き込むと、本体に記憶している使用開始日時を今回書き込んだ使用開始日時に更新する（ｓ７）。一方、上記ｓ５でＥＤＩＤに使用開始日時を示すデータが含まれていると判定すると、ｓ７で本体に記憶している使用開始日時を今回読み出したＥＤＩＤに含まれている使用開始日時に更新する。
【００３１】
情報処理装置２は通信部２１から情報処理装置本体を識別する本体識別コードとともに、ｓ１で読み出したＥＤＩＤを表示器情報としてネットワーク４を介して管理装置１へ送信し（ｓ８）、表示器３の稼働時間の計測を開始する（ｓ９）。ｓ９では、稼働時間をカウントするカウンタをリセットし、計測を開始する。
【００３２】
このように、情報処理装置２は、本体の起動時に本体に接続されている表示器３からＥＤＩＤを読み出し、本体を識別する本体識別コードとともに読み出したＥＤＩＤを表示器情報として管理装置１に送信する。これにより、管理装置１は情報処理装置２が起動時に送信してくる表示器情報を用いて、情報処理装置２毎に接続されている表示器３、この表示器３の使用開始日時等を管理できる。管理装置１が、ネットワーク４に接続されている各情報処理装置２に接続されている表示器３を管理するための処理の詳細については後述する。
【００３３】
また、ｓ３で表示器識別コードが一致していると判定した場合（すなわち前回の起動時に接続されていた表示器３と同じ表示器３が接続されている場合）、管理装置１への表示器情報の送信にかかる処理（ｓ８にかかる処理）を省略してもよい。このようにすれば、表示器情報の送信にかかる情報処理装置２の負荷を抑えることができるとともに、表示器情報の受信にかかる管理装置１の負荷も抑えられる。また、この場合、管理装置１はｓ８で送信されてくる表示器情報と同じ情報を表示器情報記憶部１３で管理しているので、特に問題も生じない。
【００３４】
なお、情報処理装置２は、図４に示した上記起動時の動作を完了すると、図示していない入力部に接続されたキーボードやマウス等の入力デバイスにおける利用者の入力操作や、ネットワークを介して管理装置１や他の情報処理装置２から送られてくる入力指示にしたがって動作する。
【００３５】
次に、情報処理装置２の停止時の動作について説明する。図５は、情報処理装置の停止時の動作を示すフローチャートである。情報処理装置２は、上記ｓ９で開始した表示器３の稼働時間の計測を停止し（ｓ１１）、今回計測した表示器３の稼働時間を情報処理装置２の本体識別コードとともに、通信部２１からネットワーク４を介して管理装置１に送信する（ｓ１２）。情報処理装置２は、その後、本体の動作を停止させる停止処理を行い（ｓ１３）、本処理を終了する。
【００３６】
このように、情報処理装置２は、本体の停止時に本体識別コードとともに、起動時に計測を開始した表示器３の稼働時間を管理装置１に通知する。したがって、管理装置１は、情報処理装置２毎に接続されている表示器３の稼働時間を、この通知に基づいて管理できる。
【００３７】
次に、管理装置１の動作について説明する。図６は、管理装置の動作を示すフローチャートである。管理装置１は、通信部１１においてネットワーク４に接続されているいずれかの情報処理装置２から送信されてきた情報を受信するか、図示していない入力部に接続されたキーボードやマウス等の入力デバイスが操作されるのを待っている（ｓ２１、ｓ２２）。管理装置１は、ネットワーク４に接続されている情報処理装置２から送信されてきた情報を通信部１１で受信すると、今回受信した情報が（１）上記図４で説明した表示器情報であるか、（２）上記図５で説明した今回計測した表示器３の稼働時間にかかる情報であるか、（３）その他の情報であるかを判定する（ｓ２３、ｓ２４）。
【００３８】
管理装置１は、今回受信した情報が表示器情報であると判定すると、表示器情報記憶部１３を検索し、今回表示器情報を送信してきた情報処理装置２の本体識別コードを記憶しているかどうかを判定する（ｓ２５）。管理装置１は、本体識別コードを表示器情報記憶部１３に記憶していなければ、新たにネットワーク４に接続された情報処理装置２であると判断し、情報処理装置２を識別する本体識別コードに、今回受信した表示器情報に含まれている表示器識別コード、使用開始日時等を関連づけて表示器情報記憶部１３に記憶する新規登録処理を行い（ｓ２６）、後述するｓ３０に進む。ｓ２６の新規登録処理では、表示器３のこれまでの積算稼働時間、情報処理装置本体２の所属グループ等について登録しない。
【００３９】
一方、管理装置１は、本体識別コードを表示器情報記憶部１３に記憶していると、この本体識別コードに関連づけて記憶している表示器識別コードを読み出し（ｓ２７）、ここで読み出した表示器識別コードと、今回受信した表示器情報に含まれている表示器識別コードと、が一致しているかどうかを判定する（ｓ２８）。管理装置１は、ｓ２８で一致していると判定すると、今回表示器情報を送信してきた情報処理装置２に接続されている表示器３が前回の起動時に接続されていた表示器３と同じであると判断し、ｓ２１に戻って上記処理を繰り返す。反対に、ｓ２８で一致していないと判定すると、今回表示器情報を送信してきた情報処理装置２に接続されている表示器３が前回の起動時に接続されていた表示器３と異なると判断し、表示器情報記憶部１３に既に記憶している本体識別コードに今回受信した表示器情報に含まれている表示器識別コード、使用開始日時、所属グループ等を関連づけて追加記憶する追加登録処理を行う（ｓ２９）。この追加登録処理では、これまで本体識別コードに関連づけて記憶していた表示器情報を新たな表示器情報に書き換えるのではなく、新たな表示器情報を追記する。これにより、図３に示した本体識別コードが１２３４５である情報処理装置２のように、本体識別コードに複数の表示器情報が関連づけられた状態になる。
【００４０】
管理装置１は、上記ｓ２６またはｓ２９の処理を完了すると、新規登録、または追加登録した表示器情報の表示器識別コードと一致する表示器識別コードが表示器情報記憶部１３に記憶されているかどうかを判定し（ｓ３０）、記憶されていればその表示器識別コードに関連付けられている積算稼働時間の最大値を読み出す（ｓ３１）。複数の情報処理装置２に接続された表示器３については、表示器識別コードが表示器情報記憶部１３に複数記憶されているので、ｓ３１ではその中で最大の積算稼働時間を読み出す。そして、管理装置１は、上記ｓ２６またはｓ２９で新規登録、または追加登録した表示器情報の積算稼働時間を、ｓ３１で読み出した積算稼働時間に更新し（ｓ３２）、ｓ２１に戻って上記処理を繰り返す。一方、ｓ３０で表示器情報記憶部１３に一致する表示器識別コードが記憶されていないと判定すると、上記ｓ２６またはｓ２９で新規登録、または追加登録した表示器情報の積算稼働時間を０に設定し（ｓ３３）、ｓ２１に戻って上記処理を繰り返す。
【００４１】
次に、管理装置１がｓ２４で情報処理装置２から送信されてきた情報が表示器３の稼働時間にかかる情報であると判定した場合の動作について説明する。管理装置は、ｓ２４で表示器の稼働時間にかかる情報であると判定すると、今回受信した本体識別コードに関連づけて記憶して該当する表示器３の積算稼働時間を、今回受信した稼働時間を加算した時間に更新し（ｓ３４）、ｓ２１に戻って上記処理を繰り返す。
【００４２】
また、管理装置１は、今回受信した情報が、表示器情報、表示器３の稼働時間にかかる情報以外の情報であると判定すると、今回受信した情報に基づく処理を実行する（ｓ３５）。このｓ３５で実行する処理としては、例えば情報処理装置１が属するグループの登録や変更にかかる処理や、管理装置１が記憶しているファイルの読み出しにかかる処理である。さらに、管理装置１は入力部に接続されたキーボードやマウス等の入力デバイスが操作された場合、この入力操作に応じた処理を実行する（ｓ３６）。以下、ｓ３６で実行される処理について説明する。
【００４３】
ｓ３６で実行する処理としては、例えばネットワーク４に接続されている任意の情報処理装置２に対して、接続されている表示器３の輝度、コントラスト等の設定値を初期値に戻すことを指示する処理や、表示器３を省電力モード（バックライトの発光を下げるモード）への移行、省電力モードの解除等を指示する処理がある。具体的には、管理者が管理装置１において、ネットワークに接続されている情報処理装置２のリストを表示させ、このリストの中から情報処理装置２を選択する。そして、この情報処理装置２に接続されている表示器３に対する指示を選択する入力操作を行う。これにより、管理装置１が選択された情報処理装置２に対して選択された指示の実行を要求する。この要求は、通信部１１からネットワーク４を介して選択された情報処理装置２に送られる。
【００４４】
情報処理装置２は、管理装置１から指示を受けると、その指示に基づいて、表示器３に対する輝度、コントラスト等の設置地を初期値に戻したり、表示器３を省電力モードに移行させたり、省電力モードを解除する等の処理を実行する。
【００４５】
なお、輝度、コントラスト等の初期値は、表示器３の工場出荷時に設定されている値であってもよいし、利用者が最適な画質になると判断した値を登録するようにしてもよい（この場合には、この値を初期値として表示器３のメモリに書き込んでおけばよい。また、表示器情報記憶部１３で管理してもよい。）。
【００４６】
また、上記説明では利用者が情報処理装置２を選択するとしたが、情報処理装置２にかえてグループを選択することもできる。この場合、管理装置１は、選択されたグループに属する情報処理装置２毎に選択された指示を要求する。このため、複数の情報処理装置を接続したネットワークシステムを学校での授業等に利用する場合、例えばネットワークに接続した情報処理装置を生徒毎に割り当てて授業を行う場合、生徒が表示器の設定を変更しても、次の授業の開始前にその教室に設置されている情報処理装置２（ここでは、教室毎に設置されている情報処理装置２をグループに分けているものとする。）が属するグループを選択し、輝度やコントラストを初期値に戻す指示を選択することにより、この教室内の情報処理装置２に接続されている表示器３の輝度、コントラストを簡単に初期値に戻すことができる。
【００４７】
また、管理装置１において、情報処理装置２に対する指示の予約が行えるようにすることもできる。例えば、午前１０時になれば、グループＡに属する情報処理装置２に対して接続されている表示器３の輝度、コントラストを初期値に戻すように指示する予約が行えるようにすれば、この指示を行う時間を授業開始の直前に設定しておけば、先生等が特別な操作を行わなくても、前の授業で生徒が勝手に表示器３の輝度やコントラストを変更していても、表示器３の輝度、コントラストを初期値に戻すことができる。
【００４８】
このように、管理装置１において、表示器情報記憶部１３でネットワーク４に接続されている情報処理装置２毎に、接続されている表示器３の使用開始日時、積算稼働時間を手間をかけずに管理でき、消耗の度合等に応じた表示器３の効率的な利用が適正且つ簡単に行える。
【００４９】
また、複数の情報処理装置２に対して、接続されている表示器３の表示モードの設定変更の一括指示が行えるので、ネットワーク４に接続されている複数の情報処理装置２に接続されている表示器３の表示モードの設定変更が簡単に行える。
【００５０】
なお、上記実施形態では、情報処理装置２は起動時に表示器情報を管理装置１へ送信するとしたが、予め定められた時間や、管理装置１からの要求があったとき等に送信するようにしてもよい。
【００５１】
また、上記管理装置１の説明では省略したが、管理装置１も情報処理装置２と同様に接続されている表示器３のメモリからＥＤＩＤを読み出し、また表示器３の稼働時間を計測する処理を実行し、表示器情報記憶部１３において本体に接続されている表示器３の使用開始日時、積算稼働時間を管理している。
【００５２】
さらに、表示器情報記憶部１３に記憶されている情報を、表示器３の製造メーカと共有することにより、これを表示器３の保証書のかわりとすることもできる。
【図面の簡単な説明】
【００５３】
【図１】この発明の実施形態であるネットワーク管理システムを示す図である。
【図２】管理装置および情報処理装置の主要部の構成を示すブロック図である。
【図３】表示器情報記憶部に記憶されているデータを示す図である。
【図４】情報処理装置の起動時の動作を示すフローチャートである。
【図５】情報処理装置の停止時の動作を示すフローチャートである。
【図６】管理装置の動作を示すフローチャートである。
【符号の説明】
【００５４】
１−管理装置
２−情報処理装置
３−表示器
４−ネットワーク
１０、２０−制御部
１１、２１−通信部
１２、２２−ビデオカード
１３−表示器情報記憶部
【図１】
2005156659.tif 000003
【図２】
2005156659.tif 000004
【図３】
2005156659.tif 000005
【図４】
2005156659.tif 000006
【図５】
2005156659.tif 000007
【図６】
2005156659.tif 000008